(57)【要約】    【課題】  無線タグからの信号を受信することによって、端末装置のどのような機能が実行されるのか、視覚的に予め表示することができる無線タグシステムを提供する。    【解決手段】  無線タグシステムは、ＲＦＩＤタグ等である無線タグ１０と、無線タグ１０からの信号を受信する受信部２１Ａ〜２１Ｅが半透明状で形成されているアンテナパネル２０と、アンテナパネル２０が重なることで受信部２１Ａ〜２１Ｅに対応する位置にアイコンが表示された表示装置４１を有する端末装置４０とを備えており、端末装置４０は、通信部４３から受信した信号に基づいて、記憶部４４のタグ識別情報１１１を参照して無線タグ１０の認証を行う機能と、無線タグ１０からの信号をアンテナパネル２０の受信部２１Ａ〜２１Ｅのいずれが受信したかを認識し、無線タグ対応情報４４１を参照して端末装置４０が実行する機能の判定を行う機能とを有する判定部を備える。【選択図】    図１
2007172225.tif 000002
【特許請求の範囲】
【請求項１】
無線タグから無線によって送られるデータ信号を端末装置で受信し、前記端末装置が受信した前記データ信号に基づいた処理を行う無線タグシステムにおいて、
表示手段に前記端末装置の所定の機能を示す機能情報を表示させ、
前記表示手段の前記機能情報の表示位置に対応付けて前記無線タグからの信号を受信する少なくとも１つのアンテナを設置し、
前記端末装置が、前記無線タグからの信号を受信した前記アンテナと対応付けられている前記機能を実行することを特徴とする無線タグシステム。
【請求項２】
前記端末装置は、前記無線タグが格納する無線タグ識別情報に基づいて、前記無線タグからの信号を受信した前記アンテナと対応付けられている前記機能を実行することを特徴とする請求項１に記載の無線タグシステム。
【請求項３】
前記端末装置は、前記無線タグ識別情報及び前記信号を受信した前記アンテナを識別する情報と、前記アンテナに対応付けられている前記機能とを対応付けた対応情報を保持し、前記無線タグ識別情報、前記信号を受信した前記アンテナを識別する情報及び前記対応情報に基づいて、前記無線タグからの信号を受信した前記アンテナと対応付けられている前記機能を実行することを特徴とする請求項２に記載の無線タグシステム。
【請求項４】
前記端末装置は、前記無線タグ識別情報及び前記信号を受信した前記アンテナを識別する情報と、前記アンテナに対応付けられている前記機能と、前記機能で使用される前記データとを対応付けた対応情報を保持し、前記無線タグ識別情報、前記信号を受信した前記アンテナを識別する情報及び前記対応情報に基づいて、前記無線タグからの信号を受信した前記アンテナと対応付けられている前記データに対する前記機能を実行することを特徴とする請求項２又は請求項３に記載の無線タグシステム。
【請求項５】
前記機能情報が示す機能が実行する前記データを示す情報を、前記機能情報の表示位置に対応付けて設置された前記アンテナを介して前記無線タグに格納し、
前記端末装置が、前記無線タグが格納する無線タグ識別情報及び前記データを示す情報と、前記対応情報とに基づいて、前記無線タグからの信号を受信した前記アンテナと対応付けられている前記機能の前記データを実行することを特徴とする請求項４に記載の無線タグシステム。
【請求項６】
前記アンテナの受信感度を、対応付けた前記機能に応じて異なる感度に設定することを特徴とする請求項１から請求項５のいずれか１項に記載の無線タグシステム。
【請求項７】
前記表示手段の前記機能情報の表示位置に対応付けて前記無線タグからの信号を受信する少なくとも１つの第１のアンテナと、前記第１のアンテナよりも前記信号の受信感度が高い少なくとも１つの第２のアンテナとを設置し、
前記端末装置が、前記無線タグからの信号を受信した前記第２のアンテナと対応付けられている第２の機能を実行した後、前記無線タグからの信号を受信した前記第１のアンテナと対応付けられている第１の機能を実行することを特徴とする請求項６に記載の無線タグシステム。
【請求項８】
前記第２のアンテナで受信した前記無線タグの前記無線タグ識別情報に基づいて、実行する前記第１の機能を切り替え、切り替えられた前記第１の機能を示す前記機能情報を前記表示手段で表示することを特徴する請求項７に記載の無線タグシステム。
【請求項９】
前記表示手段の前記機能情報の表示位置に対応付けて前記無線タグからの信号を受信する前記アンテナが複数設置され、
前記端末装置が、前記無線タグからの信号を受信した前記アンテナの前記信号の受信順序と対応付けられている前記機能を実行することを特徴とする請求項１から請求項８のいずれか１項に記載の無線タグシステム。
【請求項１０】
前記端末装置は、前記信号の受信順序、前記無線タグ識別情報及び前記機能とを対応付けた対応情報を保持し、前記信号の受信順序、前記無線タグ識別情報及び前記対応情報に基づいて、前記無線タグからの信号を受信した前記アンテナの前記信号の受信順序と対応付けられている前記機能を実行することを特徴とする請求項９に記載の無線タグシステム。
【請求項１１】
前記表示手段を構成する表示面上に、前記アンテナを透明な配線によって形成した表示パネルを配置させたことを特徴とする請求項１から請求項１０のいずれか１項に記載の無線タグシステム。
【請求項１２】
前記表示手段上に、前記無線タグに対して書き込みを行う機能を示す前記機能情報を表示させ、
前記機能情報に前記データがセットされた場合に、セットされた前記データを前記無線タグ内に関連付けて書き込むことを特徴とする請求項１から請求項１１のいずれか１項に記載の無線タグシステム。
【請求項１３】
前記表示手段上の前記機能情報に前記機能を実行する前記データがセットされた場合に、前記無線タグ１０内にセットされた前記データと当該データに対して実行する機能を関連付けて書き込み、
前記無線タグを前記機能情報に近づけて実行する場合、前記無線タグ内に書き込まれた機能と前記機能情報が示す機能とが一致した場合に前記関連付けられたデータに対する機能を実行することを特徴とする請求項１から請求項１１のいずれか１項に記載の無線タグシステム。
【請求項１４】
前記無線タグ内に前記データに対する特定の機能の実行可能な回数を予め書き込み、無線タグを用いた機能の実行回数が、前記実行可能な回数に達した場合に、前記データに対する機能の実行を禁止することを特徴とする請求項１から請求項１３のいずれか１項に記載の無線タグシステム。
【請求項１５】
無線タグから無線によって送られるデータ信号を受信し、受信した前記データ信号に基づいた処理を行う端末装置において、
所定の機能を示す機能情報を表示する表示手段と、
前記表示手段の前記機能情報の表示位置に対応付けて設置された、前記無線タグからの信号を受信する少なくとも１つのアンテナとを備え、
前記無線タグからの信号を受信した前記アンテナと対応付けられている前記機能を実行することを特徴とする端末装置。
【請求項１６】
前記無線タグが格納する無線タグ識別情報に基づいて、前記無線タグからの信号を受信した前記アンテナと対応付けられている前記機能を実行することを特徴とする請求項１５に記載の端末装置。
【請求項１７】
前記無線タグ識別情報及び前記信号を受信した前記アンテナを識別する情報と、前記アンテナに対応付けられている前記機能とを対応付けた対応情報を保持し、前記無線タグ識別情報、前記信号を受信した前記アンテナを識別する情報及び前記対応情報に基づいて、前記無線タグからの信号を受信した前記アンテナと対応付けられている前記データに対する前記機能を実行することを特徴とする請求項１６に記載の端末装置。
【請求項１８】
前記無線タグ識別情報及び前記信号を受信した前記アンテナを識別する情報と、前記アンテナに対応付けられている前記機能と、前記機能で実行される前記データとを対応付けた対応情報を保持し、前記無線タグ識別情報、前記信号を受信した前記アンテナを識別する情報及び前記対応情報に基づいて、前記無線タグからの信号を受信した前記アンテナと対応付けられている前記機能が有する前記データを実行することを特徴とする請求項１６又は請求項１７に記載の端末装置。
【請求項１９】
前記機能情報の表示位置に対応付けて設置された前記アンテナを介して前記無線タグに格納された、前記機能情報が示す機能が実行する前記データを示す情報及び前記無線タグが格納する無線タグ識別情報と、前記対応情報とに基づいて、
前記無線タグからの信号を受信した前記アンテナと対応付けられている前記機能の前記データを実行することを特徴とする請求項１８に記載の端末装置。
【請求項２０】
前記アンテナの受信感度は、対応付けた前記機能に応じて異なる感度に設定されていることを特徴とする請求項１５から請求項１９のいずれか１項に記載の端末装置。
【請求項２１】
前記表示手段の前記機能情報の表示位置に対応付けて設置された、前記無線タグからの信号を受信する少なくとも１つの第１のアンテナと、前記第１のアンテナよりも前記信号の受信感度が高い少なくとも１つの第２のアンテナとを備え、
前記無線タグからの信号を受信した前記第２のアンテナと対応付けられている第２の機能を実行した後、前記無線タグからの信号を受信した前記第１のアンテナと対応付けられている第１の機能を実行することを特徴とする請求項２０に記載の端末装置。
【請求項２２】
前記第２のアンテナで受信した前記無線タグの前記無線タグ識別情報に基づいて、実行する前記第１の機能を切り替え、切り替えられた前記第１の機能を示す前記機能情報を前記表示手段で表示することを特徴する請求項２１に記載の端末装置。
【請求項２３】
前記表示手段の前記機能情報の表示位置に対応付けて設置された、前記無線タグからの信号を受信する前記アンテナを複数備え、
前記無線タグからの信号を受信した前記アンテナの前記信号の受信順序と対応付けられている前記機能を実行することを特徴とする請求項１５から請求項２２のいずれか１項に記載の端末装置。
【請求項２４】
前記信号の受信順序、前記無線タグ識別情報及び前記機能とを対応付けた対応情報を保持し、前記信号の受信順序、前記無線タグ識別情報及び前記対応情報に基づいて、前記無線タグからの信号を受信した前記アンテナの前記信号の受信順序と対応付けられている前記機能を実行することを特徴とする請求項２３に記載の端末装置。
【請求項２５】
前記表示手段を構成する表示面上に、前記アンテナを透明な配線によって形成した表示パネルを配置させたことを特徴とする請求項１５から請求項２４のいずれか１項に記載の端末装置。
【請求項２６】
無線タグから無線によって送られるデータ信号を端末装置で受信し、前記端末装置が受信した前記データ信号に基づいた処理を行う機能実行方法において、
前記端末装置の表示手段に所定の機能を示す機能情報を表示するステップと、
前記表示手段の前記機能情報の表示位置に対応付けて設置された、前記無線タグからの信号を受信する少なくとも１つのアンテナのうち、前記無線タグからの信号を受信した前記アンテナと対応付けられている前記機能を実行するステップとを有することを特徴とする機能実行方法。
【請求項２７】
前記機能を実行するステップは、前記無線タグが格納する無線タグ識別情報に基づいて、前記無線タグからの信号を受信した前記アンテナと対応付けられている前記機能を実行することを特徴とする請求項２６に記載の機能実行方法。
【請求項２８】
前記機能を実行するステップは、前記無線タグ識別情報及び前記信号を受信した前記アンテナを識別する情報と、前記アンテナに対応付けられている前記機能とを対応付けた対応情報に基づいて、前記無線タグからの信号を受信した前記アンテナと対応付けられている前記機能を実行することを特徴とする請求項２７に記載の機能実行方法。
【請求項２９】
前記機能を実行するステップは、前記無線タグ識別情報及び前記信号を受信した前記アンテナを識別する情報と、前記アンテナに対応付けられている前記機能と、前記機能で実行される前記データとを対応付けた対応情報に基づいて、前記無線タグからの信号を受信した前記アンテナと対応付けられている前記機能が有する少なくとも１つのデータを実行することを特徴とする請求項２７又は請求項２８に記載の機能実行方法。
【請求項３０】
前記機能情報が示す機能が実行する前記データを示す情報を、前記機能情報の表示位置に対応付けて設置された前記アンテナを介して前記無線タグに格納するステップを備え、
前記機能を実行するステップは、前記無線タグ識別情報及び前記信号を受信した前記アンテナを識別する情報と、前記アンテナに対応付けられている前記機能と、前記機能で実行される前記データとを対応付けた対応情報、及び、前記無線タグに格納された前記情報に基づいて、前記無線タグからの信号を受信した前記アンテナと対応付けられている前記機能の前記データを実行することを特徴とする請求項２９に記載の機能実行方法。
【請求項３１】
前記機能を実行するステップは、前記表示手段の前記機能情報の表示位置に対応付けて設置された、前記無線タグからの信号を受信する少なくとも１つの第１のアンテナと、前記第１のアンテナよりも前記信号の受信感度が高い少なくとも１つの第２のアンテナとのうち、前記無線タグからの信号を受信した前記第２のアンテナと対応付けられている第２の機能を実行した後、前記無線タグからの信号を受信した前記第１のアンテナと対応付けられている第１の機能を実行することを特徴とする請求項２６から請求項３０のいずれか１項に記載の機能実行方法。
【請求項３２】
前記機能を実行するステップは、前記第２のアンテナで受信した前記無線タグの前記無線タグ識別情報に基づいて、実行する前記第１の機能を切り替え、切り替えられた前記第１の機能を示す前記機能情報を前記表示手段で表示することを特徴する請求項３１に記載の機能実行方法。
【請求項３３】
前記機能を実行するステップは、前記表示手段の前記機能情報の表示位置に対応付けて複数設置された、前記無線タグからの信号を受信する前記アンテナのうち、前記無線タグからの信号を受信した前記アンテナの前記信号の受信順序と対応付けられている前記機能を実行することを特徴とする請求項２６から請求項３２のいずれか１項に記載の機能実行方法。
【請求項３４】
前記機能を実行するステップは、前記信号の受信順序、前記無線タグ識別情報及び前記機能とを対応付けた対応情報に基づいて、前記無線タグからの信号を受信した前記アンテナの前記信号の受信順序と対応付けられている前記機能を実行することを特徴とする請求項３３に記載の機能実行方法。
【請求項３５】
無線タグから無線によって送られるデータ信号を受信し、受信した前記データ信号に基づいた処理を行う端末装置で実現される機能実行プログラムであって、
前記端末装置の表示手段に所定の機能を示す機能情報を表示する機能と、
前記表示手段の前記機能情報の表示位置に対応付けて設置された、前記無線タグからの信号を受信する少なくとも１つのアンテナのうち、前記無線タグからの信号を受信した前記アンテナと対応付けられている前記機能を実行する機能とを前記端末装置に実行させることを特徴とする機能実行プログラム。
【請求項３６】
前記無線タグが格納する無線タグ識別情報に基づいて、前記無線タグからの信号を受信した前記アンテナと対応付けられている前記機能を実行する機能を前記端末装置に実行させることを特徴とする請求項３５に記載の機能実行プログラム。
【請求項３７】
前記無線タグ識別情報及び前記信号を受信した前記アンテナを識別する情報と、前記アンテナに対応付けられている前記機能とを対応付けた対応情報に基づいて、前記無線タグからの信号を受信した前記アンテナと対応付けられている前記機能を実行する機能を前記端末装置に実行させることを特徴とする請求項３６に記載の機能実行プログラム。
【請求項３８】
前記無線タグ識別情報及び前記信号を受信した前記アンテナを識別する情報と、前記アンテナに対応付けられている前記機能と、前記機能で実行される前記データとを対応付けた対応情報に基づいて、前記無線タグからの信号を受信した前記アンテナと対応付けられている前記機能が有する少なくとも１つのデータを実行する機能を前記端末装置に実行させることを特徴とする請求項３６又は請求項３７に記載の機能実行プログラム。
【請求項３９】
前記機能情報が示す機能が実行する前記データを示す情報を、前記機能情報の表示位置に対応付けて設置された前記アンテナを介して前記無線タグに格納する機能と、
前記無線タグ識別情報及び前記信号を受信した前記アンテナを識別する情報と、前記アンテナに対応付けられている前記機能と、前記機能で実行される前記データとを対応付けた対応情報、及び、前記無線タグに格納された前記情報に基づいて、前記無線タグからの信号を受信した前記アンテナと対応付けられている前記機能の前記データを実行する機能とを前記端末装置に実行させることを特徴とする請求項３８に記載の機能実行プログラム。
【請求項４０】
前記表示手段の前記機能情報の表示位置に対応付けて設置された、前記無線タグからの信号を受信する少なくとも１つの第１のアンテナと、前記第１のアンテナよりも前記信号の受信感度が高い少なくとも１つの第２のアンテナとのうち、前記無線タグからの信号を受信した前記第２のアンテナと対応付けられている第２の機能を実行した後、前記無線タグからの信号を受信した前記第１のアンテナと対応付けられている第１の機能を実行する機能を前記端末装置に実行させることを特徴とする請求項３５から請求項３９のいずれか１項に記載の機能実行プログラム。
【請求項４１】
前記第２のアンテナで受信した前記無線タグの前記無線タグ識別情報に基づいて、実行する前記第１の機能を切り替え、切り替えられた前記第１の機能を示す前記機能情報を前記表示手段で表示する機能を前記端末装置に実行させることを特徴する請求項４０に記載の機能実行プログラム。
【請求項４２】
前記表示手段の前記機能情報の表示位置に対応付けて複数設置された、前記無線タグからの信号を受信する前記アンテナのうち、前記無線タグからの信号を受信した前記アンテナの前記信号の受信順序と対応付けられている前記機能を実行する機能を前記端末装置に実行させることを特徴とする請求項３５から請求項４１のいずれか１項に記載の機能実行プログラム。
【請求項４３】
前記信号の受信順序、前記無線タグ識別情報及び前記機能とを対応付けた対応情報に基づいて、前記無線タグからの信号を受信した前記アンテナの前記信号の受信順序と対応付けられている前記機能を実行する機能を前記端末装置に実行させることを特徴とする請求項４２に記載の機能実行プログラム。
【発明の詳細な説明】
【技術分野】
【０００１】
本発明は、無線タグシステムに関し、特に無線タグが有する識別情報に基づいて所定の機能を実行することが可能な無線タグシステム、機能実行プログラム、機能実行方法及び端末装置に関する。
【背景技術】
【０００２】
従来、端末装置（通信端末）が、無線タグからの信号を受信することにより、無線タグが格納する識別情報に基づいて所定の機能を実行する無線タグシステムの１例が、例えば、特開２００５−１２８７１７号公報（特許文献１）に開示されている。
【０００３】
特許文献１の技術は、複数のデータ種別の広告情報を取り扱うことができる、無線タグを利用した情報提供システム実現を目的としており、無線タグに記録された情報を基に商品の関連情報の取得方法データを取得し、この取得方法データに応じて商品の関連情報をコンテンツサーバから取得し、取得した商品の関連情報のデータ種別に応じてアプリケーションを自動的に起動することにより、広告主の要望に応じた商品の関連情報の提供とユーザにデータ種別やアプリケーションを意識させない広告情報の視聴を実現するものである。
【特許文献１】特開２００５−１２８７１７号公報
【発明の開示】
【発明が解決しようとする課題】
【０００４】
しかし、上述した特許文献１に記載の技術を１例とする従来の無線タグシステムにおいては、端末装置が無線タグからの信号を受信することによって、端末装置のどのような機能が実行されるのか、無線タグの利用者が視覚的に予め認識することができないという問題点がある。
【０００５】
その理由は、端末装置が、リーダから送信された無線タグからの信号を端末装置の機能とブラックボックス的に対応付けてあるだけであるため、リーダから送信された無線タグからの信号と、端末装置の機能を示す表示が対応付けられていないからである。
【０００６】
本発明の目的は、表示手段に表示される機能情報に無線タグを近づけるといった簡単な操作だけで、端末装置の機能を実行することができる無線タグシステムを提供することにある。
【課題を解決するための手段】
【０００７】
上記目的を達成するため本発明は、無線タグから無線によって送られるデータ信号を端末装置で受信し、前記端末装置が受信した前記データ信号に基づいた処理を行う無線タグシステムにおいて、表示手段に前記端末装置の所定の機能を示す機能情報を表示させ、前記表示手段の前記機能情報の表示位置に対応付けて前記無線タグからの信号を受信する少なくとも１つのアンテナを設置し、前記端末装置が、前記無線タグからの信号を受信した前記アンテナと対応付けられている前記機能を実行する構成としている。
【発明の効果】
【０００８】
本発明によれば、無線タグを表示手段上に表示されている所定の機能情報に近づけるといった簡単な操作によって、端末装置による所定の機能を実行させることができる。
【０００９】
その理由は、表示手段上の所定の機能情報に無線タグが近づくと、所定の機能情報に対応するアンテナが無線タグ１０の信号を受信することによって、端末装置が、所定の機能情報に対応する機能を実行するように構成されているからである。
【発明を実施するための最良の形態】
【００１０】
（第１の実施の形態）
次に、本発明の第１の実施の形態について図面を参照して詳細に説明する。
（第１の実施の形態の構成）
図２は、本実施の形態による無線タグシステムの外観構成図である。
【００１１】
図２を参照すると、本実施の形態による無線タグシステムは、無線タグ１０と、アンテナパネル２０と、アンテナパネル２０の各アンテナ２１Ａ〜２１Ｅで受信した信号を送信されるリーダ・ライタ３０と、リーダ・ライタ３０で受信した信号を送信される端末装置４０及び表示装置４１とから構成されている。
【００１２】
図１は、本発明の第１の実施の形態による無線タグシステムのアンテナパネル２０と表示装置４１を構造を示す外観図である。
【００１３】
図１を参照すると、ガラスその他の透明部材からなるアンテナパネル２０は、表示装置４１の表示面と同じ大きさで、ＲＦＩＤ（Ｒａｄｉｏ Ｆｒｅｑｕｅｎｃｙ ＩＤｅｎｔｉｆｉｃａｔｉｏｎ）タグ等である無線タグ１０からの信号を受信する複数のアンテナ２１Ａ〜２１Ｅが形成されて構成されている。このアンテナパネル２０が表示装置４１の表示面を覆う状態で設定される。
【００１４】
また、表示装置４１上のアンテナ２１Ａ〜２１Ｅに対応する位置には、予め関連付けられる端末装置４０の機能を表示するアイコン（機能情報）が表示される。
【００１５】
図３は、本実施の形態による無線タグシステムの構成を示すブロック図である。
【００１６】
図３を参照すると、本実施の形態による無線タグシステムは、無線タグ１０と、アンテナパネル２０と、リーダ・ライタ３０と、端末装置４０とから構成されている。
【００１７】
無線タグ１０は、無線タグを識別するタグ識別情報１１１を格納する記憶部１１と、無線によってタグ識別情報１１１を送信する通信部１２とを備えている。
【００１８】
無線タグ１０から発信された信号は、アンテナパネル２０に配置された各アンテナ２０Ａ〜２０Ｅで受信され、アンテナ２０Ａ〜２０Ｅからリーダ・ライタ３０に送信される。
【００１９】
リーダ・ライタ３０は、無線タグ１０からの信号を端末装置４０に送信する機能と、端末装置４０からの信号をアンテナ２０Ａ〜２０Ｅを介して無線タグ１０に送信して書き込む機能を有する。
【００２０】
端末装置４０は、通信部４３、記憶部４４、判定部４５、インタフェース部４６、制御部４７を備えている。
【００２１】
表示装置４１は、液晶ディスプレイ等で実現され、端末装置４０が実行可能な機能をアイコン等で予め視覚的に表示する機能を有し、特に、本実施の形態においては、表示装置４１の表示面を覆う状態で設置されているアンテナパネル２０の各アンテナ２１Ａ〜２１Ｅが配置されている位置に対応させて各アイコンが表示されるようにしている。
【００２２】
表示装置４１上に表示される各アイコンの種類（機能）は、例えば、予め設定した無線タグ対応情報４４１（後述）に基づいて、アンテナ２１Ａ〜２１Ｅに対応する位置に応じて任意に変更することが可能である。
【００２３】
端末装置４０の通信部４３は、リーダ・ライタ３０から送信された信号を受信し、無線タグ１０への信号をリーダ・ライタ３０に送信する機能を有する。
【００２４】
記憶部４４は、無線タグ１０のタグ識別情報１１１、無線タグ対応情報４４１及びアプリケーション４４２等を格納する。
【００２５】
記憶部４４に格納される無線タグ対応情報４４１には、アンテナパネル２０の各アンテナ２１Ａ〜２１Ｅが無線タグ１０からの信号を受信すると、信号を受信した各アンテナ２１Ａ〜２１Ｅに基づいて、端末装置４０がいずれの機能を実行するかという対応情報が予め設定されている。
【００２６】
図４に、無線タグ対応情報４４１示す。
【００２７】
図４を参照すると、無線タグ対応情報４４１は、無線タグ１０からの信号をアンテナパネル２０の受信部２１Ａ〜２１Ｅのいずれで受信されたかを示す情報（アンテナ識別情報）と、信号を受信した各受信部２１Ａ〜２１Ｅに基づいて端末装置４０が実行する機能（特定のアプリケーションによる機能やその他の処理機能）を示す情報（機能）とによって構成されている。
【００２８】
図４に示す例では、無線タグ１０からの信号をアンテナ２１Ａで受信した場合、端末装置４０がプリンタ出力の機能「ＰＲＩＮＴ」を実行することを示している。同様に、無線タグ１０からの信号を、アンテナ２１Ｂで受信した場合は、ワードプロセッサを起動する機能「ＷＲＩＴＥ」を、アンテナ２１Ｃで受信した場合は、データの保存機能「ＳＴＯＲＥ」を、アンテナ２１Ｄで受信した場合は特定のデータを開く機能「ＯＰＥＮ」を、アンテナ２１Ｅで受信した場合は特定のデータを削除する機能「ＥＲＡＳＥ」を、それぞれ端末装置４０が実行されることを示している。
【００２９】
端末装置４０で実行されるアプリケーション４４２は、ワードプロセッサソフトウェアや表計算ソフトウェア等の一般のソフトウェアであってもよいし、また、端末装置４０に接続する外部装置を起動するデバイスドライバ等であってもよく、特に制限はない。
【００３０】
判定部４５は、通信部４３から受信した信号に基づいて、記憶部４４のタグ識別情報１１１を参照して無線タグ１０の認証を行う機能と、無線タグ１０からの信号をアンテナパネル２０のアンテナ２１Ａ〜２１Ｅのいずれが受信したかを認識し、記憶部４４の無線タグ対応情報４４１を参照して端末装置４０が実行する機能の判定を行う機能とを有する。
【００３１】
インタフェース部４６は、周辺機器と信号の送受信を行う機能を有し、例えば、端末装置４０がプリンタ出力機能「ＰＲＩＮＴ」を実行する場合、「ＰＲＩＮＴ」機能の実行に関する信号の送受信を周辺機器であるプリンタとの間で行う。
【００３２】
制御部４７は、ＣＰＵ等で実現され、上記各構成部及び各機能を管理及び制御する機能を有する。
【００３３】
ここで、端末装置４０のハードウェア構成の説明をする。
【００３４】
図５は、本実施の形態による無線タグシステムの端末装置４０のハードウェア構成を示すブロック図である。
【００３５】
図５を参照すると、本発明による端末装置４０は、一般的なコンピュータ装置と同様のハードウェア構成によって実現することができ、ＣＰＵ（Ｃｅｎｔｒａｌ  Ｐｒｏｃｅｓｓｉｎｇ  Ｕｎｉｔ）５０１（制御部４７）、ＲＡＭ（Ｒａｎｄｏｍ  Ａｃｃｅｓｓ  Ｍｅｍｏｒｙ）等のメインメモリであり、データの作業領域やデータの一時退避領域に用いられる主記憶部５０２、データの送受信を行う通信制御部５０３（通信部４３）、キーボードやマウス等の入力部５０５、周辺機器と接続してデータの送受信を行うインタフェース部５０６（インタフェース部４６）、ＲＯＭ（Ｒｅａｄ  Ｏｎｌｙ  Ｍｅｍｏｒｙ）、磁気ディスク、半導体メモリ等の不揮発性メモリから構成されるハードディスク装置である補助記憶部５０７（記憶部４４）、本情報処理装置の上記各構成要素を相互に接続するシステムバス５０８等を備えている。
【００３６】
本発明による端末装置４０は、その動作を、端末装置４０内部にそのような機能を実現するプログラムを組み込んだ、ＬＳＩ（Ｌａｒｇｅ  Ｓｃａｌｅ  Ｉｎｔｅｇｒａｔｉｏｎ）等のハードウェア部品からなる回路部品を実装してハードウェア的に実現することは勿論として、上記した各構成要素の各機能を提供するプログラムを、コンピュータ処理装置上のＣＰＵ５０１（制御部４７）で実行することにより、ソフトウェア的に実現することができる。
【００３７】
すなわち、ＣＰＵ５０１（制御部４７）は、補助記憶部５０７（記憶部４４）に格納されているプログラムを、主記憶部５０２にロードして実行し、端末装置４０の動作を制御することにより、上述した各機能をソフトウェア的に実現する。
【００３８】
（第１の実施の形態の動作）
次いで、上記のように構成される第１の実施の形態による無線タグシステムの動作について説明する。
【００３９】
図６は、本発明の第１の実施の形態による無線タグシステムの動作の１例であるリード機能の処理を示すフローチャートである。
【００４０】
無線タグ１０を所持するユーザが、その無線タグ１０を実行したい機能を示すアイコン４１１に近づけることにより、無線タグ１０から出力される信号がアイコンの位置に対応付けられているアンテナパネル２０のアンテナ２１で受信される。
【００４１】
図６を参照すると、本実施の形態による無線タグシステムは、まず、端末装置４０の通信部４３が、リーダ・ライタ３０から無線タグ１０からの信号を受信したか否かを判定する（ステップＳ６０１）。
【００４２】
ステップＳ６０１で無線タグ１０からの信号を受信していないと判定した場合、端末装置４０の通信部４３は、信号の受信の待機状態となる。
【００４３】
一方、ステップＳ６０１で無線タグ１０の信号を受信したと判定した場合、受信した信号に基づいて、無線タグ１０の認証を行う（ステップＳ６０２）。
【００４４】
すなわち、ステップＳ６０２において、判定部４５は、通信部４３で受信した信号から無線タグ１０のタグ識別情報１１１を抽出し、記憶部４４で格納するタグ識別情報１１１を参照し、通信部４３で受信した信号から抽出したタグ識別情報１１１が存在するか否かを検索し、存在する場合には無線タグ１０を認証してその後の処理を行い（ステップＳ６０３）、存在しない場合にはその後の処理を中止して通信部４３による信号の受信の待機状態となる。
【００４５】
次いで、判定部４５は、通信部４３で受信した信号に基づいて、受信したアンテナのアンテナ識別情報を判定する（ステップＳ６０４）。
【００４６】
すなわち、判定部４５は、通信部４３で受信した信号が、アンテナパネル２０のアンテナ２１Ａ〜２１Ｅのいずれで受信された信号であるかを示すアンテナ識別情報に基づいて、記憶部４４の無線タグ対応情報４４１を参照し、端末装置４０で実行する機能の判定を行う。
【００４７】
ステップＳ６０４で判定された機能が、「ＰＲＩＮＴ」機能である場合には（ステップＳ６０５）、プリント出力の機能「ＰＲＩＮＴ」を実行する（ステップＳ６０６）。
【００４８】
ステップＳ６０４で判定された機能が「ＷＲＩＴＥ」機能である場合には（ステップＳ６０７）、ワードプロセッサを起動する機能「ＷＲＩＴＥ」を実行する（ステップＳ６０８）。
【００４９】
ステップＳ６０４で判定された機能が「ＳＴＯＲＥ」機能である場合には（ステップＳ６０９）、所定のデータを記憶させる機能「ＳＴＯＲＥ」を実行する（ステップＳ６１０）。
【００５０】
また、ステップＳ６０４で判定された機能が「ＯＰＥＮ」機能である場合には（ステップＳ６１１）、所定のデータをオープンする機能「ＯＰＥＮ」を実行する（ステップＳ６１２）。
【００５１】
さらに、ステップＳ６０４で判定された機能が「ＥＲＡＳＥ」機能である場合には（ステップＳ６１３）、所定のデータを削除する機能「ＥＲＡＳＥ」を実行する（ステップＳ６１４）。
【００５２】
以上により、無線タグ１０からの信号を受信したアンテナ２１に応じて、上記の何れかの機能が実行される。
【００５３】
図６に示した動作では、無線タグ１０からの信号のアンテナ識別情報に基づいて、図４に示す無線タグ対応情報４４１で定義されている機能を実行する例を示したが、その他の機能を定義付けすることにより上記以外の機能を実行するように設定することも勿論可能である。
（第１の実施の形態の効果）
以上説明したように、本実施の形態によれば、無線タグ１０を表示装置４１上に表示されている所定のアイコンに近づけるといった簡単な操作によって、端末装置４０による所定の機能を実行させることができる。
【００５４】
その理由は、端末装置４０の表示装置４１上の所定のアイコンに無線タグ１０が近づくと、所定のアイコンに対応するアンテナパネル２０のアンテナ２１Ａ〜２１Ｅが無線タグ１０の信号を受信することによって、端末装置４０が、タグ識別情報１１１及び無線タグ対応情報４４１に基づいて、所定のアイコンに対応する機能を実行するように構成されているからである。
【００５５】
（第２の実施の形態）
次に、本発明の第２の実施の形態について説明する。
【００５６】
第２の実施の形態による無線タグシステムは、無線タグ１０毎に、端末装置４０で実行される機能を設定することを可能とし、かつ無線タグ１０毎に、予め指定したデータについて機能を実行することができるようにしている点で第１の実施の形態による無線タグシステムと異なる。以下、第１の実施の形態と異なる点を中心に説明する。
【００５７】
（第２の実施の形態の構成）
本発明の第２の実施の形態による無線タグシステムは、第１の実施の形態による無線タグシステムと同様に、無線タグ１０と、表示装置４１と、アンテナパネル２０と、リーダ３０と、端末装置４０とから構成されている。
【００５８】
第２の実施の形態によるアンテナパネル２０の構成は、第１の実施の形態によるアンテナパネルと同じである。
【００５９】
図７は、第２の実施の形態による端末装置４０の記憶部４４に格納される、無線タグ対応情報４４３の構成を示す。
【００６０】
図７を参照すると、この無線タグ対応情報４４３は、無線タグを特定するタグ識別情報１１１毎に、無線タグ１０からの信号をアンテナパネル２０のアンテナ２１Ａ〜２１Ｅのいずれが受信したかを示すアンテナ識別情報と、信号を受信した各アンテナ２１Ａ〜２１Ｅの識別情報に基づいて端末装置４０が実行する機能を示す情報（機能情報）と、当該機能が使用するデータに関する情報（データ関連情報）とを対応させた構成となっている。
【００６１】
（第２の実施の形態の動作）
図８は、本発明の第２の実施の形態による無線タグシステムの動作を説明するフローチャートである。
【００６２】
この第２の実施の形態による無線タグシステムにおいて、無線タグ１０を実行したい機能を示すアイコン４１１に近づけることにより、無線タグ１０から出力される信号がアイコンの位置に対応付けられているアンテナパネル２０のアンテナ２１で受信され、タグ識別情報１１１と受信したアンテナ２１に対応付けられている端末装置４０の所定の機能が指定されたデータについて実行される。
【００６３】
図８を参照すると、本実施の形態による無線タグシステムは、まず、端末装置４０の通信部４３が、リーダ・ライタ３０から無線タグ１０の信号を受信したか否かを判定する（ステップＳ７０１）。
【００６４】
ステップＳ７０１で無線タグ１０の信号を受信していないと判定した場合、端末装置４０の通信部４３は、信号の受信の待機状態となる。
【００６５】
一方、ステップＳ７０１で無線タグ１０の信号を受信したと判定した場合、受信した信号に基づいて、無線タグ１０の認証を行う（ステップＳ６０２）。
【００６６】
すなわち、ステップＳ７０２において、判定部４５は、通信部４３で受信した信号から無線タグ１０のタグ識別情報１１１を抽出し、記憶部４４で格納するタグ識別情報１１１を参照し、通信部４３で受信した信号から抽出したタグ識別情報１１１が存在するか否かを検索し、存在する場合には無線タグ１０を認証してその後の処理を行い（ステップＳ７０３）、存在しない場合にはその後の処理を中止して通信部４３による信号の受信の待機状態となる。
【００６７】
次いで、判定部４５は、通信部４３で受信した信号が、アンテナパネル２０のアンテナ２１Ａ〜２１Ｅのいずれが受信した信号によるものかを示すアンテナ識別情報を判定する（ステップＳ７０４）。
【００６８】
さらに、判定部４５は、記憶部４４の無線タグ対応情報４４３を参照し、タグ識別情報１１１とアンテナ識別情報に基づいて、端末装置４０上で実行する機能を判定する（ステップＳ７０５）。
【００６９】
さらに、無線タグ対応情報４４３を参照して当該判定した機能で使用するデータをデータ関連情報に基づいて判定する（ステップＳ７０６）。
【００７０】
以降、図６に示した第１の実施の形態と同様に、判定した機能を実行する処理（ステップＳ７０７〜ステップＳ７１５）を行う。その際、ステップＳ７０６でデータ関連情報に基づいて特定したデータについて該当する機能を実行する。
【００７１】
このようにして、端末装置４０は、無線タグ１０のタグ識別情報１１１と無線タグ１０からの信号を受信したアンテナ２１のアンテナ識別情報に対応して、所定のデータについて所定の機能を実行することができるようになる。
【００７２】
無線タグ対応情報４４３に指定されたデータについては、無線タグ１０を用いた操作でなければ当該データを閲覧、編集及びプリント出力の機能を実行できないようにすることで、データに対するセキュリティを向上させることができる。
【００７３】
従って、図７に示すように、無線タグ１０（タグ識別情報）毎に、実行可能な機能と、関連するデータを個別に指定する構成としたことにより、無線タグ１０を表示装置４１の画面上のアイコンに近づけるだけで、予め指定されたデータについて所望の機能を実行させることが可能となる。
【００７４】
例えば、無線タグを端末装置４０の表示装置４１上のワードプロセッサのアイコンに近づけると、無線タグ対応情報４４３で指定された議事録データについて当該アイコンに対応するワードプロセッサ機能が実行される。
【００７５】
なお、上記説明では、無線タグ対応情報４４３に、データ関連情報を指定する場合を説明したが、無線タグ１０の記憶部１１内に、当該無線タグ１０によって使用するデータを指定するデータ関連情報（データの格納場所、例えばＵＲＬ等）を予め書き込んでおき、無線タグ１０から受信したデータ関連情報で指定されるデータについて特定の機能を実行するように構成することもできる。
【００７６】
すなわち、無線タグ１０の記憶部１１内にデータ関連情報（例えば、ＵＲＬ等で示されるデータの格納場所やファイルを特定するための情報）を持たせ、無線タグ１０が表示装置４１上の所定のアイコンに近づくと、端末装置４０で無線タグ１０の認証を行い、無線タグ対応情報４４３を参照することなく、当該データ関連情報で指定されるデータについて特定の機能を実行するように構成することもできる。
【００７７】
（第２の実施の形態の効果）
以上説明したように、本実施の形態によれば、端末装置４０の機能で実行するデータを無線タグ１０ごとに認識して実行させることができるので、当該データのセキュリティが向上する。
【００７８】
その理由は、端末装置４０の表示装置４１上の所定のアイコンに無線タグ１０が近づくと、所定のアイコンに対応するアンテナパネル２０のアンテナ２１Ａ〜２１Ｅが無線タグ１０の信号を受信することによって、端末装置４０が、タグ識別情報１１１及びアンテナ識別情報に基づいて、所定のアイコンに対応する機能に関するデータを判定し、判定した所定のデータについて、対応するアイコンで示される機能が実行されるからである。
【００７９】
（第３の実施の形態）
本発明の第３の実施の形態について説明する。
【００８０】
図９は、本発明の第３の実施の形態による無線タグシステムに用いる表示装置４１とそのアンテナパネル２０の構造を示す図である。
【００８１】
図９を参照すると、第３の実施の形態は、各構成要素及び機能は、第１の実施の形態と同様であるが、無縁タグ１０からの信号に対する受信能力（受信感度）が互いに異なる第１のアンテナ２２と、第２のアンテナ２１Ｆ〜２１Ｈの２種類を備える点で第１の実施の形態と異なる。以下、第１の実施の形態と異なる点を中心に説明する。
【００８２】
本第３の実施の形態においては、第１の実施の形態と同様のアンテナパネル２０のアンテナ２１Ｆ〜２１Ｈ（第２のアンテナ２１Ｆ〜２１Ｈ）と、アンテナパネル２０の第２のアンテナ２１Ｆ〜２１Ｈよりも相対的に受信能力（受信感度）が高く、無線タグ１０からの信号を検出できる距離が第２のアンテナ２１Ｆ〜２１Ｈよりも長い第１のアンテナ２２とを備えている。
【００８３】
この第１のアンテナ２２については、表示装置４１や端末装置４０に取り付ける構造の別部品としてもよいし、アンテナパネル２０に第２のアンテナ２１Ｆ〜２１Ｈと同様に、透明配線によって形成してもよい。
【００８４】
本第３の実施の形態による端末装置４０の記憶部４４には、タグ識別情報１１１と、第１の機能と、第２の機能とを対応付けた無線タグ対応情報４４５が格納されている点で第１の実施の形態と相違する。
【００８５】
ここで、第１の機能とは、無線タグ１０からの信号を第１のアンテナ２２が受信した場合に端末装置４０が実行する機能を示している。第２の機能とは、無線タグ１０からの信号を第２のアンテナ２１Ｆ〜２１Ｈが受信した場合に端末装置４０が実行する機能を示している。
【００８６】
図１０に、無線タグ対応情報４４５の構成を示す。
【００８７】
図１０を参照すると、無線タグ対応情報４４５には、第１のアンテナ２２が無線タグ１０からの信号を受信した場合に、第１の機能と、第２の機能とが、タグ識別情報１１１に対応付けて構成されている。
【００８８】
（第３の実施の形態の動作）
図１１は、本発明の第３の実施の形態による無線タグシステムの動作を説明するフローチャートである。この図１１では、例えば、本実施の形態による無線タグシステムが配置された部屋に無線タグ１０を所持するユーザが入室した場合に、無線タグ１０からの信号が第１のアンテナ２２で受信された場合の動作を示している。
【００８９】
図１１を参照すると、本実施の形態による無線タグシステムは、例えば、本実施の形態による無線タグシステムが配置された部屋に無線タグ１０を所持するユーザが入室した時点で、無線タグ１０からの信号を第１のアンテナ２２が受信すると（ステップＳ９０１）、端末装置４０の判定部４５が、受信した信号のタグ識別情報１１１に基づいて無線タグ１０の認証を行うとともに（ステップＳ９０２、Ｓ９０３）、第１のアンテナ２２で無線タグ１０からの信号を受信したことをアンテナ識別情報によって判定する（ステップＳ９０４）。
【００９０】
次いで、受信した信号のタグ識別情報１１１に基づいて記憶部４４の無線タグ情報４４５を参照することによって、無線タグ１０に対応付けられている第１の機能を判定し（ステップＳ９０４）、判定した第１の機能を実行する（ステップＳ９０４）。
【００９１】
図１０の例では、例えば、タグ識別情報「ａｂｃ１２３」を有する無線タグ１０からの信号を受信した場合、無線タグ情報４４５に第１の機能として設定されているプリンタ起動の機能が実行される。
【００９２】
また、タグ識別情報「ｄｅｆ４５６」を有する無線タグ１０からの信号を受信した場合、ワードプロセッサ機能が実行される。
【００９３】
これにより、無線タグ１０を所持するユーザが無線タグシステムが配置された部屋等に入出した時点で、ユーザがこれから必要とする端末装置４０の機能が予め実行されて準備が整った状態となる。
【００９４】
その後、無線タグ１０を表示装置４１の画面に表示されている機能を示すアイコンに近づけることで、アイコンに対応付けられている第２のアンテナ２１Ｆ〜２１Ｈで無線タグ１０の信号が受信され、タグ識別情報とアンテナ識別情報に応じて設定されている第２の機能がデータ関連情報に指定されたデータについて実行されるのは、上述した第２の実施の形態の場合と同じである。
【００９５】
例えば、上記の例のように、タグ識別情報「ａｂｃ１２３」を有する無線タグ１０からの信号を受信した場合、無線タグ情報４４５に第１の機能として設定されているプリンタ起動の機能が実行されている場合、その無線タグ１０をプリンタの出力機能を示すアイコン４１１に近づけると、データ関連情報に「議事録データＡ」として指定されているデータがプリント出力される。
【００９６】
また、端末装置４０は、第１のアンテナ２２が受信した無線タグ１０からのタグ識別情報１１１に基づいて、無線タグ対応情報４４５を参照することによって、無線タグ１０からの信号を第２のアンテナ２１Ｆ〜２１Ｈが受信することで実行可能な端末装置４０の機能を示すアイコンが表示装置４１上に表示されるように構成することもできる。
【００９７】
なお、本実施の形態においては、第１のアンテナにより機能の特定を行い、それにしたがって第２のアンテナと特定の機能の実行内容とを割り付ける構成、すなわち、無線タグ１０によって機能（プリンタ起動やワードプロセッサ起動）と実行内容（印刷実行やOPEN）を特定するものであるが、図１９に示すような無線タグ対応情報４４９に基づいて、第１のアンテナを介して無線タグ１０（無線タグ１０のユーザ）を認証・特定し、その無線タグ１０（無線タグ１０のユーザ）に応じて第２のアンテナと特定の機能とを割り付けるもの、すなわち、無線タグ１０に応じて操作環境と機能を特定するものであってもよい。
【００９８】
（第３の実施の形態の効果）
以上説明したように、本実施の形態によれば、無線タグ１０の操作によって実行する端末装置４０の各種機能を選択する労力を省略することができる。
【００９９】
その理由は、第２のアンテナ２１Ｆ〜２１Ｈよりも相対的に受信能力が高く、無線タグ１０からの信号を検出できる距離が第２のアンテナ２１Ｆ〜２１Ｈよりも長い第１のアンテナ２２が端末装置４０から離れた位置にある無線タグ１０からの信号を受信することによって、端末装置４０の所定の機能が予め実行されるからである。
【０１００】
また、本実施の形態によれば、無線タグ１０の操作によって実行する端末装置４０の機能が起動して操作可能になるまでの時間を短縮することができる。
【０１０１】
その理由は、第１のアンテナ２２で離れた場所に位置する無線タグの信号を受信することで、端末装置４０で所定の機能を予め実行して準備しておくことができるからである。
【０１０２】
さらに、本実施の形態によれば、図１９に示す無線タグ対応情報４４９に基づいて、第１のアンテナを介して無線タグ１０（無線タグ１０のユーザ）を認証・特定し、その無線タグ１０（無線タグ１０のユーザ）に応じて第２のアンテナと特定の機能とを割り付ける構成とすることで、無線タグ１０の操作によって実行する端末装置４０の機能が起動して操作可能になるまでの時間を短縮して、無線タグ１０（無線タグ１０のユーザ）毎に異なる操作環境（設定）の提供を行うことができる。
【０１０３】
（第４の実施の形態）
本発明の第４の実施の形態について説明する。
【０１０４】
図１２は、本発明の第４の実施の形態による無線タグシステムのアンテナパネル２０と表示装置４１の構成を示す外観図である。
【０１０５】
図１２を参照すると、各構成要素及び機能は、第１の実施の形態と同様であるが、複数のアンテナ２１が予めアンテナパネル２０にメッシュ状に配置されている点と、無線タグ対応情報４４６に、各アンテナ２１と端末装置４０の機能とを任意に対応付けて設定できるようにした点が第１の実施の形態と異なる。以下、第１の実施の形態と異なる点を中心に説明する。
【０１０６】
アンテナパネル２０には、アンテナ２１−１〜２１−４を含む複数のアンテナ２１がメッシュ状に配置されている。
【０１０７】
また、端末装置４０の記憶部４４には、無線タグ１０のタグ識別情報１１１と、アンテナ２１を一意に識別するアンテナ識別情報と、端末装置４０で実行する機能とを対応付けた無線タグ対応情報４４６が格納されている。
【０１０８】
図１３に、無線タグ対応情報４４６の構成を示す。
【０１０９】
図１３を参照すると、無線タグ対応情報４４６は、端末装置４０で実行する機能が、タグ識別情報１１１及びアンテナ識別情報３３１に対応付けて設定されており、さらにアンテナ識別情報３３１と機能とを任意に組み合わせて設定できるようになっている。
【０１１０】
無線タグ１０からの信号をアンテナで受信することにより、無線タグ対応情報４４６に設定されているタグ識別情報とアンテナ識別情報に対応付けられたデータについて端末装置４０の所定の機能が実行されるのは、第１の実施の形態及び第２の実施の形態の場合と同様である。
【０１１１】
（第４の実施の形態の効果）
以上説明したように、本実施の形態によれば、無線タグ１０の操作によって実行する端末装置４０の各種機能をより多様化できるとともに、端末装置４０の各種機能が割り振られたアイコンを表示装置４１上に表示する際の表示位置の自由度が高まる。
【０１１２】
その理由は、アンテナパネル２０に、複数のアンテナをメッシュ状に配置し、アンテナと端末装置の機能の対応付けを任意に設定できるようにしたためである。
【０１１３】
（第５の実施の形態）
本発明の第５の実施の形態について説明する。
【０１１４】
図１４は、本発明の第５の実施の形態による無線タグシステムのアンテナパネル２０と表示装置４１の構成を示す図である。
【０１１５】
第５の実施の形態は、各構成要素は、第１の実施の形態と同様であり、アンテナパネル２０に配置される複数のアンテナ２１による無線タグ１０からの受信順序に対して特定の意味付けをした点で、上記各実施の形態と相違する。
【０１１６】
図１５に、無線タグ対応情報４４７の構成を示す。
【０１１７】
図１５を参照すると、無線タグ対応情報４４７は、端末装置４０で実行する機能が、タグ識別情報１１１及び受信順序に対応付けて構成されている。
【０１１８】
このように、端末装置４０の記憶部４４に格納される無線タグ対応情報４４７には、タグ識別情報１１１と端末装置４０の機能及びデータ関連情報を設定すると共に、アンテナ識別情報の代わりに、複数のアンテナでの受信順序を示す情報が設定されている。
【０１１９】
ここで、受信順序とは、アンテナパネル２０に複数配置されているアンテナ２１Ｈ〜２１Ｊが無線タグ１０からの信号を受信した順序であり、例えば、無線タグ１０の利用者や端末装置４０の管理者によって、予め受信順序が指定されている。
【０１２０】
そして、その受信順序の組み合わせに応じて、実行する端末装置４０の機能とデータ関連情報が設定されている。この受信順序は、例えば、無線タグ１０の利用者や端末装置４０の管理者によって、一定の期間毎に変更するようにしてもよい。
【０１２１】
端末装置４０の判定部４５は、端末装置４０の通信部４３が受信した信号からタグ識別情報１１１及び受信順序を判定し、無線タグ対応情報４４７を参照して、判定したタグ識別情報１１１及び受信順序に基づいて、端末装置４０で実行する機能を判定して実行する。
【０１２２】
（第５の実施の形態の動作）
図１６は、本発明の第５の実施の形態による無線タグシステムの動作を説明するフローチャートである。
【０１２３】
この第５の実施の形態では、無線タグ１０を所持するユーザは、表示装置４１の画面上に表示される複数のアイコンに、無線タグ１０を予め決められている順序で近づけることで端末装置４０の所望の機能を実行させる。
【０１２４】
図１４〜図１６を参照すると、本実施例による無線タグシステムは、複数のアンテナで所定の順序で無線タグ１０からの信号を受信すると（ステップＳ１３０１）、端末装置４０の判定部４５が、受信した信号のタグ識別情報１１１に基づいて無線タグ１０の認証を行うとともに（ステップＳ１３０２、Ｓ１３０３）、アンテナ２１の受信順序を判定し（ステップＳ１３０４）、無線タグ対応情報４４７を参照して判定した受信順序が設定されているかどうかを判定する（ステップＳ１３０５）。
【０１２５】
受信順序が設定されていない場合には、その旨をエラー表示することにより、再度受信操作を促す（ステップＳ１３０６）。
【０１２６】
受信順序が設定されている場合には、受信した信号のタグ識別情報１１１及び受信順序に基づいて、端末装置４０で実行する機能を判定して実行する（ステップＳ１３０７、Ｓ１３０８）。
【０１２７】
具体的には、例えば、図１４でアンテナパネル２０のアンテナ２１Ｈ、アンテナ２１Ｉ、アンテナ２１Ｊの順に無線タグからの信号を受信した場合、図１５の無線タグ対応情報４４７に基づいて、プリント出力機能「PRINT」が実行され、また、例えば、図１４でアンテナパネル２０のアンテナ２１H、アンテナ２１J、アンテナ２１Iの順に無線タグからの信号を受信した場合、図１５の無線タグ対応情報４４７に基づいて、ワードプロセッサ機能「WRITE」が実行されることとなる。
【０１２８】
（第５の実施の形態の効果）
以上説明したように、本実施の形態によれば、無線タグ１０の操作によって実行する端末装置４０の各種機能をより多様化できるとともに、端末装置４０で実行する機能やデータのセキュリティが向上する。
【０１２９】
その理由は、アンテナパネル２０に複数配置されているアンテナ２１による無線タグ１０の受信順序を定義し、その定義した受信順序で無線タグ１０からの信号を受信した場合のみ、端末装置４０で所定の機能を実行するからである。
【０１３０】
（第６の実施の形態）
本発明の第６の実施の形態について説明する。
【０１３１】
第６の実施の形態は、端末装置４０が無線タグ１０に対する書き込み機能を有し、端末装置４０内の所定のデータをリーダ・ライタ３０を介して無線タグ１０に書き込むことができるようにし、画面上の操作によって無線タグ１０に対して所定のデータを関連付けることができるようにした点で、上記各実施の形態と相違する。その他の主要な構成については、第１の実施の形態と同様である。
【０１３２】
本実施の形態で、画面上の操作によって無線タグ１０に対して所定のデータを関連付けることができるようにした場合について説明する。
【０１３３】
端末装置４０は、無線タグ１０に対してデータの書き込みを行う機能を有しており、表示装置４１上に表示される当該書き込み機能を示す書き込みアイコン４１１に無線タグ１０を近づけることにより、端末装置４０内の議事録データ等の所定のデータを無線タグ１０に関連付けて書き込む。
【０１３４】
その場合の動作を図２０、図２１を参照して説明する。
【０１３５】
まず、図２０に示すように、無線タグ１０に対して書き込みを行うための書き込みアイコン４１１（無線タグ１０への書き込み用アプリケーション（機能）に対応したアイコン）を表示装置４１上に表示する。そして、この書き込みアイコン４１１に対して、同様に表示装置４１上に表示されているデータ（例えば、議事録データＡ）をドラッグアンドドロップ等の操作によって重ね合わせてデータのセットを行う。
【０１３６】
その状態で、タグ識別情報１１１以外の情報を格納していない空の無線タグ１０を表示装置４１上の書き込みアイコン４１１にかざすことにより、書き込みアイコン４１１に対応するアンテナ２１で無線タグ１０からの信号を検知し（ステップＳ２１０１）、検知した信号に基づいて、端末装置４０で無線タグ１０の認証を行う（ステップＳ２１０２、Ｓ２１０３）と共に、書き込みアイコン４１１に対してデータがセットされているかを判定する（ステップＳ２１０４）。
【０１３７】
データがセットされている場合には、書き込みアイコン４１１にドロップされた所定のデータ（図示では、議事録データA）を一意に識別する識別情報が当該無線タグ１０内に書き込まれる（ステップS２１０５）。書き込みアイコン４１１に予めデータがセットされていない場合には、何も実行されず終了する。
【０１３８】
上記のような操作によって、書き込みアイコン４１１にドラッグアンドドロップされた所定のデータが特定の無線タグ１０に対して関連付けられる。
【０１３９】
その後、上記データの関連付けを完了した無線タグ１０を、表示装置４１上の実行したい処理のアイコン４１１（例えば、ＰＲＩＮＴアイコン）に近づけることにより、関連付けされたデータに対する処理（プリント出力）が実行される。この動作については、上記第１の実施の形態の場合と同様である。
【０１４０】
なお、上記実施の形態では、無線タグ１０に対して書き込みアイコン４１１にセットしたデータの識別情報を書き込んで関連付ける場合を説明したが、書き込みアイコン４１１にデータをセットする際に、そのデータに対する処理（機能）を選択できるようにし、無線タグ１０にデータとそのデータに対する処理（機能）の両方を関連付けるようにすることもできる。
【０１４１】
（第６の実施の形態の効果）
本実施の形態によれば、無線タグ１０が表示装置４１上の書き込みアイコンに近づけることで、無線タグ１０に対する所定のデータの関連付けがなされるので、無線タグ１０へのデータの関連付けを簡単な操作で行うことができる。
【０１４２】
（第７の実施の形態）
本発明の第７の実施の形態について説明する。
【０１４３】
第７の実施の形態は、端末装置４０が無線タグ１０に対する書き込み機能を有し、端末装置４０内の所定のデータをリーダ・ライタ３０を介して無線タグ１０に書き込むことができるようにし、画面上の操作によって無線タグ１０に対して所定のデータとそのデータに対する処理（機能）を関連付けることができるようにした点で、上記各実施の形態と相違する。その他の主要な構成については、第１の実施の形態と同様である。
【０１４４】
本実施の形態で、画面上の操作によって無線タグ１０に対して所定のデータとそのデータの処理（操作）を関連付けるようにした場合について説明する。
【０１４５】
端末装置４０は、無線タグ１０に対してデータの書き込み機能を有しており、表示装置４１上に表示される各種の機能を示すアイコン４１１Ａ〜４１１Ｄに無線タグ１０を近づけることにより、端末装置４０内の議事録データ等の所定のデータとそのデータに対する処理（機能）を無線タグ１０に関連付けて書き込むことができる機能を備えている。
【０１４６】
このため、本実施の形態では、表示装置４１上のアイコン４１１Ａ〜４１１Ｄに対応つけられたアンテナ２１Ａ〜２１Ｄによって無線タグ１０への書き込みを可能とする書き込みモードを備えており、この書き込みモードでは、アイコン４１１Ａ〜４１１Ｄに所定のデータをセットして無線タグ１０を近づけることにより、セットされた所定のデータとそのデータに対して実行する処理（当該アイコンの示す機能）とを関連付けた情報が書き込まれる構成となっている。
【０１４７】
表示装置４１上のアイコン４１１Ａ〜４１１Ｄを書き込みモードとするには、例えば、端末装置４０にアイコン４１１Ａ〜４１１Ｄを通常モード（無線タグ１０に関連付けられたデータについてアイコンに示された機能を実行するモード）と書き込みモードに切り替える機能を用意し、端末装置４０でその切り替え機能を実行することで通常モード又は書き込みモードに切り替える。
【０１４８】
その場合の動作を図２２、図２３を参照して説明する。
【０１４９】
まず、書き込みモードで所定のデータの関連付けを行う場合には、アイコン４１１Ａ〜４１１Ｄを書き込みモードに切り替え、図２２に示すように、無線タグ１０に対して関連付けを行ないたい処理（操作）を示すアイコンに対して、表示装置４１上に表示されているデータ（例えば、議事録データＡや議事録データＢ）をドラッグアンドドロップ等の操作によって重ね合わせてデータのセットを行う。
【０１５０】
無線タグ１０を表示装置４１上のデータをセットしたアイコン４１１Ａ〜４１１Ｄにかざすことにより、アイコン４１１Ａ〜４１１Ｄに対応するアンテナ２１Ａ〜２１Ｄで無線タグ１０からの信号を検知し（ステップＳ２３０１）、検知した信号に基づいて、端末装置４０で無線タグ１０の認証を行う（ステップＳ２３０２、Ｓ２３０３）と共に、書き込みモードであるかどうかを判定する（ステップＳ２３０４）。
【０１５１】
書き込みモードであれば、次に、アイコン４１１Ａ〜４１１Ｄに対してデータがセットされているかを判定する（ステップＳ２３０５）。
【０１５２】
データがセットされている場合には、アイコン４１１Ａ〜４１１Ｄにドロップされた所定のデータを一意に識別する識別情報とそのデータに対して実行する処理（機能）の情報が当該無線タグ１０内に書き込まれる（ステップＳ２３０６）。アイコン４１１Ａ〜４１１Ｄに予めデータがセットされていない場合には、処理を終了する。
【０１５３】
無線タグ１０にデータとそのデータに対して実行する処理（機能）に関連付けた場合に、無線タグ１０内に書き込まれる関連付け情報２４０の例を図２４に示す。
【０１５４】
この例では、議事録データＡのデータ識別情報Ａ−ａａと議事録データＡに対する機能の情報（ＯＰＥＮ）が関連付けられ、議事録データＢのデータ識別情報Ｂ−ｂｂと議事録データＢに対する機能の情報（ＰＲＩＮＴ）が関連付けられて書き込まれている。
【０１５５】
ステップＳ２３０４で、書き込みモードでない場合には、無線タグ１０内に既に所定のデータとそのデータに対する処理（機能）が書き込まれて関連付けられているかを判定し（ステップＳ２３０７）、無線タグ１０関連付けられている機能と当該アイコン４１１Ａ〜４１１Ｄが示す機能とが一致する場合（ステップＳ２３０８）、関連付けられている所定のデータに対してアイコン４１１Ａ〜４１１Ｄで示される機能が実行される（ステップＳ２３０９）。
【０１５６】
上記のような操作によって、アイコン４１１Ａ〜４１１Ｄにドラッグアンドドロップされた所定のデータとそのデータに対して実行する処理（機能）が特定の無線タグ１０に対して関連付けられる。
【０１５７】
（第７の実施の形態の効果）
本実施の形態によれば、無線タグ１０内に所定のデータとそのデータに対して実行する機能を関連付けて書き込み、当該無線タグ１０を所定のアイコンに近づけて実行する場合、無線タグ１０内に書き込まれた機能とアイコンの機能とが一致した場合にのみデータに対する機能が実行されるようにしたので、当該所定のデータの実行に対するセキュリティが向上する。
【０１５８】
（第８の実施の形態）
本発明の第８の実施の形態について説明する。
【０１５９】
この実施の形態では、無線タグ１０の記憶部１１内に、特定のデータに対する機能（処理）の実行可能な回数を予め書き込んでおき、無線タグ１０を表示装置４１上のアイコンに近づけることで端末装置４０で所定のデータに対する機能の実行回数が実行可能な回数に達した場合に無線タグ１０を利用したデータに対する処理を制限する制御を可能としている。
【０１６０】
無線タグ１０の記憶部１１内には、図２５に示すように、データの識別情報とそのデータに対する機能の情報に加えてその機能の実行が可能な回数が書き込まれている。
【０１６１】
図２５の例では、データ識別情報Ａ−ａａのデータに対する機能（ＰＲＩＮＴ）の実行可能回数が「５回」であることが示されている。
【０１６２】
次いで、本実施の形態の動作の例を図２６を参照して説明する。
【０１６３】
無線タグ１０を表示装置４１上のアイコン４１１にかざすことにより、アイコン４１１に対応するアンテナ２１で無線タグ１０からの信号を検知し（ステップＳ２６０１）、検知した信号に基づいて、端末装置４０で無線タグ１０の認証を行う（ステップＳ２６０２、Ｓ２６０３）。
【０１６４】
その際、無線タグ１０内に予め書き込まれている当該機能の実行可能な回数がゼロであるかどうかを判定し（ステップＳ２６０４）、ゼロでなければ（回数が残っていれば）、実行可能回数からリーダ・ライタ３０を介して無線タグ１０の記憶部１１からデクリメントし（ステップＳ２６０５）、無線タグ１０に関連付けられている所定のデータに対する機能が実行される（ステップＳ２６０６）。
【０１６５】
ステップＳ２６０４で実行可能な回数がゼロであれば、エラー終了し機能の実行が禁止される（ステップＳ２６０７）。
【０１６６】
以上により、無線タグ１０に設定されている機能の実行可能回数がゼロになった場合には無線タグ１０を利用した機能の実行を不可能にすることができる。
【０１６７】
具体的には、無線タグ１０の記憶部１１内に、データに対する機能の実行可能回数、所定のデータの印刷可能な回数や再生可能な回数を予め書き込んでおくことによって、文書の印刷、音楽や映像の視聴等を予め設定された回数内でのみ実行可能にする等の機能実行に対する制御を行うことが可能となる。
【０１６８】
なお、上記の例では、データに対する機能が実行される度に、実行可能な回数をデクリメントして実行可能な回数がゼロになった場合に実行を制限する場合を説明したが、無線タグ１０を利用した実行回数をカウントアップしてその実行回数を無線タグ１０に書き込み、その実行回数が予め設定されている実行可能回数に達した場合に、無線タグ１０を利用した機能の実行を不可能にすることも可能である。
【０１６９】
さらに、機能の実行可能回数を無線タグ１０内ではなく、端末装置４０側に無線タグ１０に対応して記録することでも、上記と同様の効果を実現することができる。
【０１７０】
また、無線タグ１０を用いた所定のデータに対する機能の実行回数に加えて、機能を実行した日時等の履歴を端末装置４０または無線タグ１０に記録するようにすることもできる。例えば、無線タグ１０を表示装置４１上のプリント機能のアイコンに近づけることによって、所定の文書に対するプリント処理を行う度に、その文書に関連付けてプリントの回数と日時を端末装置４０または無線タグ１０内に記録することが考えられる。
【０１７１】
（第８の実施の形態の効果）
本実施の形態によれば、無線タグ１０内に所定のデータに対する特定の機能の実行可能な回数を予め書き込んでおき、無線タグ１０を用いた機能の実行回数が、実行可能な回数に達した場合に、そのデータに対する機能が実行できないようにしたので、無線タグ１０を用いた機能の実行を制御することが可能となる。
【０１７２】
以上好ましい複数の実施の形態をあげて本発明を説明したが、本発明は必ずしも、上記実施の形態に限定されるものでなく、その技術的思想の範囲内において様々に変形して実施することができる。
【０１７３】
例えば、第１の実施の形態〜第５の実施の形態を任意に組み合わせて実施することも可能であり、本発明の技術的思想の範囲に当然に含まれる。
【０１７４】
例えば、第１の実施の形態の端末装置４０の記憶部４４が、図４に示す無線タグ対応情報４４１を格納する代わりに、図１７に示す無線タグ対応情報４４８を格納していてもよい。
【０１７５】
図１７に示す無線タグ対応情報４４８は、タグ識別情報１１１と、無線タグ１０からの信号をアンテナパネル２０のアンテナ２１Ａ〜２１Ｅのいずれが受信したかを示す情報（アンテナ識別情報）と、信号を受信した各アンテナ２１Ａ〜２１Ｅに基づいて端末装置４０が実行する機能を示す情報（機能）と、当該機能によって実際に実行されるデータを示す情報とによって構成されている。
【０１７６】
この場合、端末装置４０に判定部４５は、通信部４３から受信した信号に基づいて、記憶部４４のタグ識別情報１１１を参照して無線タグ１０の認証を行い、無線タグ１０からの信号をアンテナパネル２０のアンテナ２１Ａ〜２１Ｅのいずれが受信したかを認識し、記憶部４４の無線タグ対応情報４４８を参照して端末装置４０が実行する機能及び当該機能で実際に実行されるデータの判定を行う。
【０１７７】
図１７を参照すると、例えば、タグ識別情報１１１が「ａｂｃ１２３」の無線タグ１０で操作した場合、各アンテナ２１Ａ〜２１Ｅに対応するアイコンの機能において議事録データの全てが実行できるが、例えば、タグ識別情報１１１が「ｄｅｆ４５６」の無線タグ１０で操作した場合、アンテナ２１Ａに対応する「ＰＲＩＮＴ」機能及びアンテナ２１Ｅに対応する「ＥＲＡＳＥ」機能における議事録データの実行が制限されており、例えば、タグ識別情報が「ｇｈｉ７８９」の無線タグ１０で操作した場合、アンテナ２１Ｄに対応する「ＯＰＥＮ」機能以外の機能における議事録データの実行が制限されている。
【０１７８】
従って、この場合、タグ識別情報１１１ごとに、端末装置４０の機能で実際に実行するデータをより細分化して設定することができるため、当該データのセキュリティが向上するとともに、各無線タグ１０をタグ識別情報１１１ごとに、より厳密に当該データに対応付けて管理することができる。
【０１７９】
さらに、上記説明では、アンテナ２１を表示装置４１の表示面に重ね合わせるアンテナパネル２０に形成した例を説明したが、図１８に示すように、表示装置４１の周囲のフレーム４２に複数のアンテナ２１Ａ〜２１Ｅを配置すると共に、そのフレーム４２に配置したアンテナ２１Ａ〜２１Ｅの位置に対応付けて（アンテナと近い位置）、端末装置４０の各機能を示すアイコンを表示するようにしても、上記実施の形態と同様の効果を実現することが可能である。
【図面の簡単な説明】
【０１８０】
【図１】本発明の第１の実施の形態による無線タグシステムの１部を示す外観図である。
【図２】第１の実施の形態による無線タグシステムの外観構成図である。
【図３】第１の実施の形態による無線タグシステムの構成を示すブロック図である。
【図４】第１の実施の形態による無線タグシステムの記憶部４４における無線タグ対応情報４４１を説明するための図である。
【図５】第１の実施の形態による無線タグシステムの端末装置４０におけるハードウェア構成を示すブロック図である。
【図６】第１の実施の形態による無線タグシステムの動作の１例を示すフローチャートである。
【図７】第２の実施の形態による無線タグシステムの記憶部４４における無線タグ対応情報を説明するための図である。
【図８】第２の実施の形態による無線タグシステムの動作を説明するフローチャートである。
【図９】本発明の第３の実施の形態による無線タグシステムの表示装置の表示例を示す図である。
【図１０】第３の実施の形態による無線タグシステムの記憶部４４における無線タグ対応情報を説明するための図である。
【図１１】第３の実施の形態による無線タグシステムの動作の１例を示すフローチャートである。
【図１２】本発明の第４の実施の形態による無線タグシステムの表示装置とアンテナの構成を示す図である。
【図１３】第４の実施の形態による無線タグシステムの記憶部４４における無線タグ対応情報を説明するための図である。
【図１４】本発明の第５の実施の形態による無線タグシステムの１部を示す外観図である。
【図１５】第５の実施の形態による無線タグシステムの記憶部４４における無線タグ対応情報を説明するための図である。
【図１６】第５の実施の形態による無線タグシステムの動作の１例を示すフローチャートである。
【図１７】その他の実施例による無線タグシステムの無線タグ対応情報を説明するための図である。
【図１８】アンテナと表示装置の他の適用例を示す図である。
【図１９】第３の実施の形態による無線タグシステムの記憶部４４における無線タグ対応情報の他の例を説明するための図である。
【図２０】第６の実施の形態による無線タグシステムの表示装置上における書き込みアイコンに対するデータのセット動作を示す図である。
【図２１】第６の実施の形態による無線タグシステムにおける無線タグに対するデータの関連付けの動作を説明するフローチャートである。
【図２２】第７の実施の形態による無線タグシステムの表示装置上におけるアイコンに対するデータのセット動作を示す図である。
【図２３】第７の実施の形態による無線タグシステムにおける動作を説明するフローチャートである。
【図２４】第７の実施の形態による無線タグシステムにおける無線タグ内に書き込まれる関連付け情報の１例を示す図である。
【図２５】第８の実施の形態による無線タグシステムにおける無線タグ内に書き込まれる情報の１例を示す図である。
【図２６】第８の実施の形態による無線タグシステムにおける動作を説明するフローチャートである。
【符号の説明】
【０１８１】
１０：無線タグ
１１：記憶部
１１１：タグ識別情報
１２：通信部
２０、２０Ａ〜２０Ｅ：アンテナパネル
２１、２１Ａ〜２１Ｇ、２１Ａ１〜Ａ５、２１Ｂ１〜Ｂ５、２１Ｃ１〜Ｃ５、２１Ｄ１〜Ｄ５、２１Ｅ１〜Ｅ５、：アンテナ
３０、３０Ａ〜３０Ｅ：リーダ・ライタ
３３：記憶部
３３１：アンテナ識別情報
４０：端末装置
４１：表示部
４１１：アイコン
４３：通信部
４４：記憶部
４４１：無線タグ対応情報
４４２：アプリケーション
４４３〜４４８：無線タグ対応情報
４５：判定部
４６：インタフェース部
４７：制御部
２４０、２５０：関連付け情報
５０１：ＣＰＵ
５０２：主記憶部
５０３：通信制御部
５０４：提示部
５０５入力部
５０６：インタフェース
５０７：補助記憶部
５０８：システムバス
【図１】
2007172225.tif 000003
【図２】
2007172225.tif 000004
【図３】
2007172225.tif 000005
【図４】
2007172225.tif 000006
【図７】
2007172225.tif 000007
【図５】
2007172225.tif 000008
【図６】
2007172225.tif 000009
【図８】
2007172225.tif 000010
【図９】
2007172225.tif 000011
【図１２】
2007172225.tif 000012
【図１０】
2007172225.tif 000013
【図１１】
2007172225.tif 000014
【図１３】
2007172225.tif 000015
【図１４】
2007172225.tif 000016
【図１８】
2007172225.tif 000017
【図１５】
2007172225.tif 000018
【図１６】
2007172225.tif 000019
【図１７】
2007172225.tif 000020
【図１９】
2007172225.tif 000021
【図２０】
2007172225.tif 000022
【図２１】
2007172225.tif 000023
【図２２】
2007172225.tif 000024
【図２３】
2007172225.tif 000025
【図２４】
2007172225.tif 000026
【図２５】
2007172225.tif 000027
【図２６】
2007172225.tif 000028